(57)【要約】【課題】ボーダー部材がずれたり浮き上がったりしてしまうのを防止できると共に、フリーアクセスフロアの床面上に段差が形成されるのを防止することができるボーダー部構造を提供する。【解決手段】下地床面１０と略平行に設けられる水平板部３６、及びこの水平板部３６の一端から垂直下方に折れ曲がって連続して形成され、その高さ方向の下端部が下地床面１０に接地される垂直板部３８とを有するボーダー部材３２と、フリーアクセスフロア用パネル３が載置される上端面１８、及びこの上端面１８に開口する溝部２０ａを有する支持台８Ａとを備え、ボーダー部材３２は、水平板部３６における他端から下方に折れ曲がって形成され溝部２０ａに係合する係合部４０を有するようにした。【選択図】図１
2008150825.tif 000002
【特許請求の範囲】
【請求項１】
下地床面と略平行に設けられる水平板部、及びこの水平板部の一端から垂直下方に折れ曲がって連続して形成され、その高さ方向の下端部が下地床面に接地される垂直板部とを有するボーダー部材と、
フリーアクセスフロア用パネルが載置される上端面、及びこの上端面に開口する溝部を有する支持台とを備え、
前記ボーダー部材は、前記水平板部における他端から下方に折れ曲がって形成され前記溝部に係合する係合部を有する
ことを特徴とするボーダー部構造。
【請求項２】
前記垂直板部は、前記支持台の高さとほぼ同じ高さを有し、当該垂直板部の形成に必要な高さ分以外の部分が、前記下端部において前記係合部側に折り曲げられている
ことを特徴とする請求項１に記載のボーダー部構造。
【請求項３】
下地床面と略平行に設けられる水平板部を有するボーダー部材について、
前記水平板部の一端から垂直下方に折れ曲がって連続する垂直板部を折り曲げ加工により形成し、この垂直板部を形成する際にその高さ方向の下端部が下地床面に接地するように当該垂直板部の高さを調整すると共に、
前記水平板部における他端から下方に折れ曲がる係合部を折り曲げ加工により形成し、この係合部を、フリーアクセスフロア用パネルが載置される支持台の上端面に設けられた溝部に係合する
ことを特徴とするボーダー部設置方法。
【請求項４】
前記垂直板部の高さの調整は、当該垂直板部が前記支持台の高さとほぼ同じ高さを有するのに必要な高さ分以外の部分を前記係合部側に折り曲げて前記下端部を形成することにより行なわれる
ことを特徴とする請求項３に記載のボーダー部設置方法。
【発明の詳細な説明】
【技術分野】
【０００１】
本発明は、クリーンルームやオフィスルーム等の部屋の内側に敷設されるフリーアクセスフロアに関し、特にそのボーダー部構造及びその設置方法に関するものである。
【背景技術】
【０００２】
図８及び図９は、従来のボーダー部材６、及びこの従来のボーダー部材６を設置した場合のボーダー部構造１を示す側面断面図及び平面図である。ボーダー部材６は、図８に示すように、フリーアクセスフロア２が敷設される部屋の下地床面１０上であって、フリーアクセスフロア２のパネル部材３と、部屋の壁４との間に設置されているが、ボーダー部材６は、このような場所だけでなく、パネル部材３に連続する床面を形成するために、図示しない様々な場所に設置される。
【０００３】
すなわち、ボーダー部材６は、定形部材であるパネル部材３を配置することができない、壁４の壁際や、部屋内の壁４から離れた場所の、図示しない柱の周囲等に形成される中途半端な空間に、パネル部材３に連続する床面を形成するために設置される。
【０００４】
以下の説明においては、パネル部材３を配置することができない壁４の壁際や、図示しない柱の周囲等の中途半端な空間をボーダー部と呼ぶこととする（図８参照）。また、パネル部材３と隣合ってボーダー部材６がボーダー部に配置された状態をボーダー部構造と呼ぶこととする。
【０００５】
ボーダー部材６は、下地床面１０と略垂直の方向に厚さ（図８中、寸法ｔ）を有し、下地床面１０と略平行方向、かつ壁４に対して垂直方向の長さを有する水平板部２６と、この水平板部２６の長さの壁４側の一端から下地床面１０側に垂直に折れ曲がって連続して形成された垂直板部２８とを備えて構成されている。
【０００６】
ボーダー部材６は、その水平板部２６がボーダー部の下地床面１０上方を覆い、この水平板部２６における垂直板部２８と反対側の端部２６ａが最も壁４寄りのパネル部材３の上面に載置されると共に、垂直板部２８が、下地床面１０上に略垂直に突き立てられて配置される。
【０００７】
このようなボーダー部材６により、ボーダー部には、パネル部材３と下地床面１０との間の高さ方向に大きな段差（支持台８の高さにパネル部材３の厚さを加えた寸法の段差）が生じないようにし、かつ部屋のフリーアクセスフロア２の床面がパネル部材３から壁４迄延長して形成されるようになっていた。
【０００８】
一方、フリーアクセスフロア２は、そのパネル部材３が支持台８により支持される構造になっている。支持台８は、調整台１４と、この調整台１４を支持する脚部１６を備えて構成されている。
【０００９】
図１０は、図８，９から支持台８だけを取り出して示す、支持台８の平面図である。同図に示すように、支持台８は、その調整台１４の上端面１８上に開口するよう形成されて、後述するパネル部材３の折曲った側板部２４と係合可能な４本の溝部２０を有している。
【００１０】
この支持台８の４本の溝部２０は、これら４本の中の２本が、上端面１８上の一方向に伸びるよう互いに平行に一定間隔で並んで配置され、この２本と直角に交差するように、他の２本が互いに平行に一定間隔で並んで配置されている。これら４本の溝部２０のそれぞれは、互いに平行に並んで配置される２本の組合せ同士が、互いの長さ方向のほぼ中央において交差している。各溝部２０の長さ方向において、この長さ方向と直角方向に伸びる他の溝部２０との交差位置から、この長さ方向と平行な、調整台１４の円周面接線までの長さ寸法を、図１０においてはＬで表すこととする。
【００１１】
また、図１１は、図８，９からパネル部材３だけを取り出して示す、パネル部材３の平面図である。パネル部材３は、定形部材であって、同図に示すように、平面形状が略正方形の天板部２２と、天板部２２の四辺のそれぞれに、下地床面１０側（図１１中、紙面に垂直方向の奥側）に一定高さを有するよう折曲げて設けられる側板部２４とを有している。
【００１２】
図９に示すように、パネル部材３は、水平面において縦方向及び横方向に整列して配置される。そして、支持台８は、ボーダー部と隣合って配置されるパネル部材３の、ボーダー部側の隅部を支持するのに用いられるものを除いて、４枚のパネル部材３の各隅部が一ヶ所に集まる位置に配置され、この４枚のパネル部材３の各隅部を下側から支持するようになっている。
【００１３】
このようなフリーアクセスフロア２の、各支持台８が４枚のパネル部材３の各隅部を支持するときの支持構造は、各パネル部材３における天板部２２の各隅部が、図１０に示す支持台８の上端面１８上に載置されると共に、各パネル部材３の天板部２２における四辺のそれぞれと平行方向に伸びる、図１１に示す各側板部２４の両端部のそれぞれが、対応する支持台８の図１０に示す溝部２０の寸法Ｌの長さ範囲で係合する構造になっている。
【発明の開示】
【発明が解決しようとする課題】
【００１４】
しかしながら、上述したような従来のボーダー部構造１においては、図８に示すように、ボーダー部材６は、その水平板部２６の端部２６ａが、パネル部材３の上面に載置され、垂直板部２８が、下地床面１０の壁４寄りの位置に略垂直に突き立てられて載置されるだけの構造であるため、図示しないが、垂直板部２８がボーダー部内で水平方向にずれてしまったり、何らかの外力により水平板部２６が傾斜するように端部２６ａが浮き上がってしまったりすることがあるため、安全性に欠けるという問題があった。
【００１５】
また、従来のボーダー部構造１においては、ボーダー部材６の水平板部２６の端部２６ａが、パネル部材３の上面に載置されているので、フリーアクセスフロア２の床面上に水平板部２６の厚さ分（図８中寸法ｔ）の段差が形成されてしまうため、このような段差の上に整理棚や書庫等が載置された場合には、この整理棚や書庫等が傾むいてしまうおそれがあり、好ましくないという問題があった。
【００１６】
また、従来のボーダー部構造１においては、ボーダー部材６の垂直板部２８の高さを調整することができなかったため、敷設する部屋ごとに異なる高さに設定されるフリーアクセスフロア２の床高さに応じて、その都度、垂直板部２８が部屋ごとに異なる高さに形成されたボーダー部材６を準備しなければならないという問題があった。
【００１７】
そこで本発明は、上記問題点に鑑みて、ボーダー部材がずれたり浮き上がったりしてしまうのを防止できると共に、フリーアクセスフロアの床面上に段差が形成されるのを防止することができるボーダー部構造、及びその設置方法を提供することを課題とするものである。
【００１８】
また、様々な床高さのフリーアクセスフロアに対応して垂直板部の高さを調整することができるボーダー部構造、及びその設置方法を提供することを課題とするものである。
【課題を解決するための手段】
【００１９】
上記課題を解決するために本発明は、
下地床面と略平行に設けられる水平板部、及びこの水平板部の一端から垂直下方に折れ曲がって連続して形成され、その高さ方向の下端部が下地床面に接地される垂直板部とを有するボーダー部材と、
フリーアクセスフロア用パネルが載置される上端面、及びこの上端面に開口する溝部を有する支持台とを備え、
前記ボーダー部材は、前記水平板部における他端から下方に折れ曲がって形成され前記溝部に係合する係合部を有することを特徴とするものである。
【００２０】
また、上記課題を解決するために本発明は、
前記垂直板部は、前記支持台の高さとほぼ同じ高さを有し、当該垂直板部の形成に必要な高さ分以外の部分が、前記下端部において前記係合部側に折り曲げられていることを特徴とするものである。
【００２１】
また、上記課題を解決するために、本発明によるボーダー部材設置方法は、
下地床面と略平行に設けられる水平板部を有するボーダー部材について、
前記水平板部の一端から垂直下方に折れ曲がって連続する垂直板部を折り曲げ加工により形成し、この垂直板部を形成する際にその高さ方向の下端部が下地床面に接地するように当該垂直板部の高さを調整すると共に、
前記水平板部における他端から下方に折れ曲がる係合部を折り曲げ加工により形成し、この係合部を、フリーアクセスフロア用パネルが載置される支持台の上端面に設けられた溝部に係合することを特徴とするものである。
【００２２】
また、本発明によるボーダー部材設置方法において、前記垂直板部の高さの調整は、当該垂直板部が前記支持台の高さとほぼ同じ高さを有するのに必要な高さ分以外の部分を前記係合部側に折り曲げて前記下端部を形成することにより行なわれることを特徴とするものである。
【発明の効果】
【００２３】
このような本発明に係るボーダー部構造によれば、
下地床面と略平行に設けられる水平板部、及びこの水平板部の一端から垂直下方に折れ曲がって連続して形成され、その高さ方向の下端部が下地床面に接地される垂直板部とを有するボーダー部材と、
フリーアクセスフロア用パネルが載置される上端面、及びこの上端面に開口する溝部を有する支持台とを備え、
前記ボーダー部材は、前記水平板部における他端から下方に折れ曲がって形成され前記溝部に係合する係合部を有することにより、
ボーダー部材が、ずれたり浮き上がったりしてしまうのを防止できるので、フリーアクセスフロアの安全性を向上させることができる。また、フリーアクセスフロアの床面上に段差が形成されるのを防止できるので、整理棚や書庫等が傾いてしまうような好ましくない状態を招くことを防止することができる。
【００２４】
また、本発明のボーダー部構造において、
前記垂直板部は、前記支持台の高さとほぼ同じ高さを有し、当該垂直板部の形成に必要な高さ分以外の部分が、前記下端部において前記係合部側に折り曲げられていることにより、
ボーダー部構造は、様々な床高さのフリーアクセスフロアに対応して垂直板部の高さを調整することができるので、垂直板部が部屋ごとに異なる高さに形成されたボーダー部材を準備する必要がない。
【００２５】
また、本発明に係るボーダー部設置方法によれば、
下地床面と略平行に設けられる水平板部を有するボーダー部材について、
前記水平板部の一端から垂直下方に折れ曲がって連続する垂直板部を折り曲げ加工により形成し、この垂直板部を形成する際にその高さ方向の下端部が下地床面に接地するように当該垂直板部の高さを調整すると共に、
前記水平板部における他端から下方に折れ曲がる係合部を折り曲げ加工により形成し、この係合部を、フリーアクセスフロア用パネルが載置される支持台の上端面に設けられた溝部に係合することにより、
ボーダー部材が、ずれたり浮き上がったりしてしまうのを防止できるので、フリーアクセスフロアの安全性を向上させることができる。また、フリーアクセスフロアの床面上に段差が形成されるのを防止できるので、整理棚や書庫等が傾いてしまうような好ましくない状態を招くことを防止することができる。
【００２６】
また、本発明のボーダー部設置方法において、前記垂直板部の高さの調整は、当該垂直板部が前記支持台の高さとほぼ同じ高さを有するのに必要な高さ分以外の部分を前記係合部側に折り曲げて前記下端部を形成することにより行なわれるようにしたことにより、
ボーダー部構造は、様々な床高さのフリーアクセスフロアに対応して垂直板部の高さを調整することができるので、垂直板部が部屋ごとに異なる高さに形成されたボーダー部材を準備する必要がない。
【発明を実施するための最良の形態】
【００２７】
以下、本発明に係るボーダー部構造及びその設置方法を実施するための最良の形態について、図面に基づいて具体的に説明する。
図１から図３は、本発明の第１の実施の形態に係る、ボーダー部構造３０及びその設置方法について説明するために参照する図である。従来と同様の部分には同じ符号を用いて説明し、従来と同様の構成についての重複する説明は省略するものとする。
【００２８】
本実施の形態に係るボーダー部構造３０は、図１及び図２に示すように、フリーアクセスフロア用ボーダー部材３２（以下において、「ボーダー部材３２」という。）、及びフリーアクセスフロア２の支持台８であって、ボーダー部と隣合って配置されるパネル部材３の、ボーダー部側の隅部を支持するボーダー側支持台８Ａを備えて構成されている。
【００２９】
以後の説明においては、図１に示すように、パネル部材３とボーダー部との間の境界線と平行方向（図１中、紙面に垂直の方向）に伸びて、ボーダー部の内側を通るボーダー側支持台８Ａの溝部２０を、特に、ボーダー内溝部２０ａと呼ぶこととする。
【００３０】
ボーダー部材３２は、図１に示すように、水平板部３６、垂直板部３８、及び係合部４０を有している。水平板部３６は、その図１中左右方向の長さ寸法Ｗ１が、ボーダー部における同方向の長さよりも若干短い長さになるように形成されている。また、垂直板部３８は、ボーダー側支持台８Ａの高さと同じ高さ寸法Ｈ１を有するように形成されている。水平板部３６の図１中左右方向の長さ寸法Ｗ１、及び垂直板部３８の高さ寸法Ｈ１は、ボーダー部の同方向の長さ、及びボーダー側支持台８Ａの高さの実測値に基づいて定められる。
【００３１】
また、ボーダー部材３２の係合部４０は、水平板部３６における垂直板部３８と反対側の端部３６ａから下地床面１０側に垂直に折れ曲がって形成されたものである。係合部４０は、その高さ寸法がボーダー側支持台８Ａのボーダー内溝部２０ａの深さ寸法より僅かに小さく形成されている。
【００３２】
したがって、係合部４０の高さ寸法は、上述した水平板部３６の上記長さ寸法Ｗ１、及び垂直板部３８の高さ寸法Ｈ１のように、ボーダー部の上記長さ、及びボーダー側支持台８Ａの高さの実測値に基づいて定められるものではないので、係合部４０は、フリーアクセスフロア２の敷設開始前から、予め形成しておくことができるものである。
【００３３】
図３（ａ）〜（ｃ）は、ボーダー部材３２の形成手順を示す図であって、形成手順の段階ごとの側面形状を示す側面図である。同図（ａ）に示すように、ボーダー部材３２には、垂直板部３８が形成される前の当初の段階において、水平板部３６の端部３６ａに、予め係合部４０が折り曲げ加工により形成されている。
【００３４】
ボーダー部材３２は、このような形状の段階のものから、図１に示すボーダー部の図中左右方向の長さの実測値に基づいて、図３（ｂ）に示すように、水平板部３６が、その係合部４０側端から、折り曲げ後に寸法Ｗ１となる位置で折り曲げられることにより、垂直板部３８が形成される。
【００３５】
そして、ボーダー部材３２は、図３（ｃ）に示すように、垂直板部３８が、図１に示すボーダー側支持台８Ａの高さの実測値と同じ高さ寸法Ｈ１を有するように、この垂直板部３８の下地床面１０側（図３中下側）の余分な高さ部分が切り落とされて完成される。ボーダー部材３２は、このような手順で形成された後に、図１に示すように、ボーダー部に設置される。
【００３６】
このような本実施の形態に係る、ボーダー部構造３０及びその設置方法によれば、ボーダー部材３２の係合部４０が、ボーダー側支持台８Ａのボーダー内溝部２０ａに係合することにより、ボーダー部材３２が、ずれたり浮き上がったりしてしまうのを防止できるので、フリーアクセスフロアの安全性を向上させることができる。また、フリーアクセスフロアの床面上に段差が形成されるのを防止できるので、整理棚や書庫等が傾いてしまうような好ましくない状態を招くことを防止することができる。
【００３７】
また、本実施の形態に係る、ボーダー部構造３０及びその設置方法によれば、係合部４０が予め形成されているので、ボーダー部材３２に係合部４０が予め形成されていない場合に比べて、ボーダー部材３２を最終的な形状のものに形成するまでの作業を容易にすることができる。
【００３８】
次に、図４及び図５は、本発明の第２の実施の形態に係る、ボーダー部構造５０及びその設置方法について説明するために参照する図である。
本実施の形態に係るボーダー部構造５０は、その平面的な外観が、前記第１の実施の形態に係るボーダー部構造３０を示す図２とほぼ同様に表されるため、平面図は省略する。
【００３９】
本実施の形態に係るボーダー部構造５０は、図４に示すように、フリーアクセスフロア用ボーダー部材５２（以下において、「ボーダー部材５２」という。）、及びフリーアクセスフロア２のボーダー側支持台８Ａを備えて構成されている。
【００４０】
ボーダー部材５２は、前記第１の実施の形態におけるボーダー部材３２と同様に、水平板部５６、垂直板部５８、及び係合部６０を有している。また、ボーダー部材５２は、垂直板部５８における下地床面１０側の下端部に折り曲げ部６２を有している。折り曲げ部６２は、この折り曲げ部６２が形成される前の垂直板部５８の下地床面１０側の端部が、係合部６０側に略垂直に折り曲げられて形成されたものである。
【００４１】
図５（ａ）〜（ｃ）は、ボーダー部材５２の形成手順を示す図であって、形成手順の段階ごとの形状を示す側面図である。同図（ａ）及び（ｂ）に示すように、ボーダー部材５２の垂直板部５８は、前記第１の実施の形態に係るボーダー部材３２の垂直板部３８の形成手順と同様に、図４に示すボーダー部の図４中左右方向長さの実測値に基づいて、当初の水平板部５６が、その係合部６０側の端部から、折り曲げ後に寸法Ｗ２となる位置で折り曲げられることにより、垂直板部５８が形成される。
【００４２】
そして、ボーダー部材５２は、図５（ｃ）に示すように、垂直板部５８が、実測した図４のボーダー側支持台８Ａの高さと同じ高さ寸法Ｈ２を有するように、床面側の余分な高さ端部が、係合部６０側に折り曲げられて完成される。ボーダー部材５２は、このような手順で形成された後に、図４に示すように、ボーダー部に設置される。
【００４３】
このような本実施の形態に係る、ボーダー部構造５０及びその設置方法によれば、前記第１の実施の形態と同様に、ボーダー部材５２の係合部６０が、ボーダー側支持台８Ａのボーダー内溝部２０ａに係合することにより、ボーダー部材５２が、ずれたり浮き上がったりしてしまうのを防止できるので、フリーアクセスフロアの安全性を向上させることができると共に、フリーアクセスフロアの床面上に段差が形成されるのを防止できるので、整理棚や書庫等が傾いてしまうような好ましくない状態を招くことを防止することができる。
【００４４】
また、係合部６０が予め形成されているので、ボーダー部材５２に係合部６０が予め形成されていない場合に比べて、ボーダー部材５２を最終的な形状のものに形成するまでの作業を容易にすることができる。
【００４５】
また、本実施の形態に係る、ボーダー部構造５０及びその設置方法によれば、垂直板部５８の高さを調整して形成できるので、ボーダー部構造５０を様々な床高さのフリーアクセスフロアに対応して設置することができる。このため、垂直板部が部屋ごとに異なる高さに形成されたボーダー部材を準備する必要がない。
【００４６】
また、ボーダー部材５２を形成するのに垂直板部５８の下端部の切断作業を必要としないので、ボーダー部材５２を最終的な形状のものに形成するまでの作業を、前記第１の実施の形態に係るボーダー部材３２を形成するときよりも容易にすることができると共に、廃材が発生しないようにすることができる。
【００４７】
次に、図６及び図７は、本発明の第３の実施の形態に係る、ボーダー部構造７０及びその設置方法について説明するために参照する図である。
本実施の形態に係るボーダー部構造７０は、図６に示すように、フリーアクセスフロア用ボーダー部材７２（以下において、「ボーダー部材７２」という。）、及びフリーアクセスフロア２のボーダー側支持台８Ａを備えて構成されている。
【００４８】
ボーダー部材７２は、前記第２の実施の形態におけるボーダー部材５２と同様に、水平板部７６、垂直板部７８、係合部８０、及び折り曲げ部８２を有している。折り曲げ部８２は、前記第２の実施の形態における折り曲げ部６２と同様に、折り曲げ部８２が形成される前の垂直板部７８の下地床面１０側の下端部が、係合部８０側に折り曲げられて形成されたものである。そして、この折り曲げ部８２は、垂直板部７８と反対側の端部８２ａが上方に折り曲げられて形成されている。
【００４９】
図７（ａ）〜（ｄ）は、ボーダー部材７２の形成手順を示す図であって、形成手順の段階ごとの形状を示す側面図である。同図（ａ）及び（ｂ）に示すように、ボーダー部材７２の垂直板部７８は、前記第２の実施の形態に係るボーダー部材５２の垂直板部５８の形成手順と同様に、図６に示すボーダー部の図中左右方向長さの実測値に基づいて、水平板部７６が、その係合部８０側端から、折り曲げ後に寸法Ｗ３となる位置で折り曲げられることにより、垂直板部７８が形成される。
【００５０】
そして、ボーダー部材７２は、図７（ｃ）に示すように、垂直板部７８が、実測した図６のボーダー側支持台８Ａの高さと同じ高さ寸法Ｈ３を有するように、床面側の余分な高さ端部が、折り曲げ部８２として係合部８０側に折り曲げられる。
【００５１】
その後、図７（ｄ）に示すように、この折り曲げ部８２の垂直板部７８と反対側の端部８２ａが上方に折り曲げられて完成される。ボーダー部材７２は、このような手順で形成された後に、図６に示すように、ボーダー部に設置される。
【００５２】
このような本実施の形態に係る、ボーダー部構造７０及びその設置方法によれば、前記第１及び第２の実施の形態と同様に、ボーダー部材７２の係合部８０が、ボーダー側支持台８Ａのボーダー内溝部２０ａに係合することにより、ボーダー部材７２が、ずれたり浮き上がったりしてしまうのを防止できるので、フリーアクセスフロアの安全性を向上させることができると共に、フリーアクセスフロアの床面上に段差が形成されるのを防止できるので、整理棚や書庫等が傾いてしまうような好ましくない状態を招くことを防止することができる。
【００５３】
また、係合部８０が予め形成されているので、ボーダー部材７２に係合部８０が予め形成されていない場合に比べて、ボーダー部材７２を最終的な形状のものに形成するまでの作業を容易にすることができる。
【００５４】
また、本実施の形態に係る、ボーダー部構造７０及びその設置方法によれば、垂直板部７８の高さを調整して形成できるので、ボーダー部構造５０を様々な床高さのフリーアクセスフロアに対応して設置することができる。このため、垂直板部が部屋ごとに異なる高さに形成されたボーダー部材を準備する必要がない。
【００５５】
また、前記第２の実施の形態と同様に、ボーダー部材７２を形成するのに垂直板部７８の下端部の切断作業を必要としないので、ボーダー部材７２を最終的な形状のものに形成するまでの作業を、前記第１の実施の形態に係るボーダー部材３２を形成するときよりも容易にすることができると共に、廃材が発生しないようにすることができる。
【００５６】
また、本実施の形態に係る、ボーダー部構造７０及びその設置方法によれば、折り曲げ部８２の端部８２ａが上方に折り曲げられているので、ボーダー部材７２をボーダー部に設置するときに、このボーダー部材７２に折り曲げ端部８２ａが形成されないときに起こり得る、折り曲げ部８２の先端部がボーダー側支持台８Ａに接触して支障を来たすことを防止できる。
【００５７】
なお、前記第２，第３の実施の形態においては、垂直板部５８，７８の下端部を折り曲げることにより、その高さ寸法を調整するようにしていたが、逆に、一度折り曲げた下端部を元の真直ぐの状態に伸ばすことにより、その高さ寸法を調整するようにすることもできる。
【００５８】
また、前記実施の形態においてフリーアクセスフロア２は、図１，４，６に示すように、ボーダー側支持台８Ａも含めて、支持台８の調整台１４に溝部２０が形成され、この溝部２０にパネル部材３の側板部２４が係合するようになっていたが、支持台８の調整台１４に溝部２０を形成しないようにすると共に、パネル部材３に側板部２４を設けないようにして、パネル部材３の隅部を調整台１４にネジ止めするようにしてもよい。
【００５９】
また、前記第１から第３の実施の形態に係るボーダー部構造３０，５０，７０において、パネル部材３を支持する支持台８，８Ａは、脚部１２及び調整台１４を備える構造のものであったが、支持台は、このような構造のものに限定されない。例えば、支持台８の上端面１８及び溝部２０と同様の上端面及び溝部を有する、略円柱形状の支持体等、どのような形態の支持台であってもよい。
【００６０】
また、前記第１から第３の実施の形態に係るボーダー部構造３０，５０，７０において、ボーダー側支持台８Ａは、図２に示すように、ボーダー部と隣合って配置されるパネル部材３であって、かつ図２中上下方向に互いに隣合って配置される２つのパネル部材３の、ボーダー部側の互いに隣合う２つの隅部を支持するようになっていたが、１つのパネル部材３におけるボーダー部側の隅部間の側辺縁部の途中位置を支持するようになっていてもよい。
【図面の簡単な説明】
【００６１】
【図１】本発明の第１の実施の形態に係るボーダー部構造３０を示す側面断面図である。
【図２】本発明の第１の実施の形態に係るボーダー部構造３０を示す平面図である。
【図３】図１中のボーダー部材３２の形成手順を示す図であって、図３（ａ）〜（ｃ）はその形成手順の段階ごとの形状を示す側面図である。
【図４】本発明の第２の実施の形態に係るボーダー部構造５０を示す側面断面図である。
【図５】図４中のボーダー部材５２の形成手順を示す図であって、図５（ａ）〜（ｃ）はその形成手順の段階ごとの形状を示す側面図である。
【図６】本発明の第３の実施の形態に係るボーダー部構造７０を示す側面断面図である。
【図７】図６中のボーダー部材７２の形成手順を示す図であって、図７（ａ）〜（ｄ）はその形成手順の段階ごとの形状を示す側面図である。
【図８】従来のボーダー部構造１を示す側面断面図である。
【図９】従来のボーダー部構造１を示す平面図である。
【図１０】図９中の支持台８だけを取り出して示すその平面図である。
【図１１】図９中のパネル部材３だけを取り出して示すその平面図である。
【符号の説明】
【００６２】
１  ボーダー部構造
２  フリーアクセスフロア
３  パネル部材
４  壁
６  ボーダー部材
８  支持台
８Ａ  ボーダー側支持台
１０  床面
１２  脚部
１４  調整台
１５  ベース板部材
１６  支持ボルト部材
１８  上端面
２０  溝部
２０ａ  ボーダー内溝部
２２  天板部
２４  側板部
２６  水平板部
２６ａ  端部
２８  垂直板部
３０  ボーダー部構造
３２  フリーアクセスフロア用ボーダー部材
３６  水平板部
３６ａ  端部
３８  垂直板部
４０  係合部
５０  ボーダー部構造
５２  フリーアクセスフロア用ボーダー部材
５６  水平板部
５８  垂直板部
６０  係合部
６２  折り曲げ部
７０  ボーダー部構造
７２  フリーアクセスフロア用ボーダー部材
７６  水平板部
７８  垂直板部
８０  係合部
８２  折り曲げ部
８２ａ  端部
【図１】
2008150825.tif 000003
【図２】
2008150825.tif 000004
【図３】
2008150825.tif 000005
【図４】
2008150825.tif 000006
【図５】
2008150825.tif 000007
【図６】
2008150825.tif 000008
【図７】
2008150825.tif 000009
【図８】
2008150825.tif 000010
【図９】
2008150825.tif 000011
【図１０】
2008150825.tif 000012
【図１１】
2008150825.tif 000013